(57)【要約】【課題】使い勝手を悪化させること無く、厚さや柔らかさ等を柔軟に調整することができる寝具用クッションを提供する。【解決手段】寝具用クッション１は、１又は複数のクッション材３と、該クッション材３を覆うカバー２を備え、カバー２は、クッション材３の上面を覆う上面カバー１０と、クッション材３の下面を覆う下面カバー３０と、クッション材３の側方を取り囲む側面カバー２０とからなる。そして、上面カバー１０と側面カバー２０、及び、下面カバー３０と側面カバー２０は、それぞれ、線ファスナー１１，３１により着脱可能に構成されている。【選択図】図２
2015157069.tif 000002
【特許請求の範囲】
【請求項１】
板状に形成された１又は複数のクッション材と、
１つの前記クッション材、又は、重なった状態で配された複数の前記クッション材を上面側から覆う１又は複数の上面カバーと、
１つの前記クッション材、又は、重なった状態で配された複数の前記クッション材を下面側から覆う１又は複数の下面カバーと、
を備え、
前記上面カバー及び前記下面カバーは、外縁に沿ってファスナーが設けられており、
前記上面カバーと前記下面カバーとは、それぞれ、ファスナーにより着脱可能に構成されていること、
を特徴とする寝具用クッション。
【請求項２】
板状に形成された１又は複数のクッション材と、
１つの前記クッション材、又は、重なった状態で配された複数の前記クッション材を上面側から覆う１又は複数の上面カバーと、
１つの前記クッション材、又は、重なった状態で配された複数の前記クッション材を下面側から覆う１又は複数の下面カバーと、
１つの前記クッション材、又は、重なった状態で配された複数の前記クッション材を側方から取り囲む帯状の１又は複数の側面カバーと、
を備え、
前記側面カバーは、両側の縁部に沿ってファスナーが設けられていると共に、前記上面カバー及び前記下面カバーは、外縁に沿ってファスナーが設けられており、
前記上面カバーと前記側面カバー、及び、前記下面カバーと前記側面カバーは、それぞれ、ファスナーにより着脱可能に構成されていること、
を特徴とする寝具用クッション。
【請求項３】
請求項２に記載の寝具用クッションにおいて、
複数の前記クッション材と、
複数の前記側面カバーと、
を備え、
予め定められた前記クッション材の厚さを、基準値とし、
前記クッション材として厚さの異なる複数の種類が設けられていると共に、これらの種類に係る厚さとして、少なくとも前記基準値と、該基準値を整数倍した１又は複数の値が用いられており、
前記側面カバーとして幅の異なる複数の種類が設けられていると共に、各種類の前記側面カバーは、互いに異なる種類の前記クッション材の厚さに対応する幅を有していること、
を特徴とする寝具用クッション。
【請求項４】
請求項２又は請求項３に記載の寝具用クッションにおいて、
前記側面カバー、前記上面カバー、及び、前記下面カバーに設けられたファスナーは、線ファスナーとして構成されており、
前記側面カバーと前記上面カバーとを結合する線ファスナーのスライダーである上面側スライダーと、前記側面カバーと前記下面カバーとを結合する線ファスナーのスライダーである下面側スライダーとを結ぶ紐状の接続部をさらに有すること、
を特徴とする寝具用クッション。
【請求項５】
請求項４に記載の寝具用クッションにおいて、
前記接続部は、一端が前記上面側スライダーに接続された紐状の上面側接続部と、一端
が前記下面側スライダーに接続された紐状の下面側接続部と、から構成され、
前記上面側接続部の他端と前記下面側接続部の他端とは、着脱可能に構成されていること、
を特徴とする寝具用クッション。
【請求項６】
請求項４又は請求項５に記載の寝具用クッションにおいて、
前記接続部は、前記上面側スライダーと前記下面側スライダーとのうちの少なくとも一方と着脱可能に構成されていること、
を特徴とする寝具用クッション。
【請求項７】
請求項１から請求項６のうちのいずれか１項に記載の寝具用クッションにおいて、
前記クッション材のうちの少なくとも１つは、少なくとも一方の面に凹凸が形成されていること、
を特徴とする寝具用クッション。
【請求項８】
請求項１から請求項７のうちのいずれか１項に記載の寝具用クッションに用いられるクッション材。
【請求項９】
請求項２、又は、請求項２を引用する請求項３から請求項７のうちのいずれか１項に記載の寝具用クッションに用いられる側面カバー。
【請求項１０】
請求項１から請求項７のうちのいずれか１項に記載の寝具用クッションに用いられる上面カバー。
【請求項１１】
請求項１から請求項７のうちのいずれか１項に記載の寝具用クッションに用いられる下面カバー。
【発明の詳細な説明】
【技術分野】
【０００１】
本発明は、ユーザの体の下に敷いて使用される寝具用クッションと、該寝具用クッションに用いられるクッション材、側面カバー、上面カバー、及び、下面カバーに関する。
【背景技術】
【０００２】
従来、積層された複数の板状のクッション材と、これらを覆うカバー等から構成される多層構造のマットレスが知られている。特許文献１に記載の多層構造のマットレスでは、硬さの異なる複数のクッション材が用いられており、クッション材の並びを変えることで柔らかさを調整することができる。
【先行技術文献】
【特許文献】
【０００３】
【特許文献１】特表平７−５０９３７６号公報
【発明の概要】
【発明が解決しようとする課題】
【０００４】
しかしながら、特許文献１に記載の多層構造のマットレスでは、クッション材を容易に変更できなかった。
本願発明は上記課題に鑑みてなされたものであり、容易且つ柔軟に厚さや柔らかさ等を調整することができる寝具用クッション等を提供することを目的とする。
【課題を解決するための手段】
【０００５】
上記課題に鑑みてなされた請求項１に係る発明は、板状に形成された１又は複数のクッション材と、１つのクッション材、又は、重なった状態で配された複数のクッション材を上面側から覆う１又は複数の上面カバーと、１つのクッション材、又は、重なった状態で配された複数のクッション材を下面側から覆う１又は複数の下面カバーと、を備え、上面カバー及び下面カバーは、外縁に沿ってファスナーが設けられており、上面カバーと下面カバーとは、それぞれ、ファスナーにより着脱可能に構成されていること、を特徴とする寝具用クッションに係るものである。
【０００６】
このような構成によれば、上面カバーと下面カバーはファスナーにより着脱可能であるため、容易に、クッション材を厚さの異なるものに変更したり、クッション材の枚数を変更することができる。したがって、容易且つ柔軟に、寝具用クッションの厚さや柔らかさ等を調整することができる。
【０００７】
また、ベッドや畳や床の上等、様々な場所で寝具用クッションを使用することが想定されるが、使用場所によって寝具用クッションの厚さや柔らかさ等を調整することができ、より快適に寝具用クッションを使用することができる。
【０００８】
さらに、複数のクッション材を重ねた状態で寝具用クッションを使用している場合には、上面カバーや下面カバーを別途有していれば、これらのクッション材を複数に分けることにより、１つの寝具用クッションから複数の寝具用クッションを構成することができる。
【０００９】
このため、例えば、子供が生まれた際や、急な来客があった際等に新たに寝具用クッションを設けることができ、敷布団やマットレスを別途購入する必要が無く、非常に経済的
である。
【００１０】
また、これとは反対に、複数の寝具用クッションを有していれば、これらで用いられていたクッション材を取り出して重ねて使用することで、厚さや柔らかさ等が増した１つの寝具用クッションを新たに設けることもできる。
【００１１】
このため、不要となった寝具用クッションを有効に活用することができ、資源の無駄遣いを防止できると共に、寝具用クッションを破棄する負担が無くなる。
また、寝具用クッションでは、複数のクッション材が重なった状態で上面カバーと下面カバーにより覆われているため、クッション材がずれることが無く、快適に使用することができる。また、上面カバーが汚れた場合等には、上面カバーのみを交換して寝具用クッションを使用することができる。
【００１２】
また、請求項２に係る発明は、板状に形成された１又は複数のクッション材と、１つのクッション材、又は、重なった状態で配された複数のクッション材を上面側から覆う１又は複数の上面カバーと、１つのクッション材、又は、重なった状態で配された複数のクッション材を下面側から覆う１又は複数の下面カバーと、１つのクッション材、又は、重なった状態で配された複数のクッション材を側方から取り囲む帯状の１又は複数の側面カバーと、を備え、側面カバーは、両側の縁部に沿ってファスナーが設けられていると共に、上面カバー及び下面カバーは、外縁に沿ってファスナーが設けられており、上面カバーと側面カバー、及び、下面カバーと側面カバーは、それぞれ、ファスナーにより着脱可能に構成されていること、を特徴とする寝具用クッションに係るものである。
【００１３】
このような構成によれば、上面カバーと下面カバーと側面カバーはファスナーにより着脱可能であるため、容易に、クッション材を厚さの異なるものに変更したり、クッション材の枚数を変更することができる。そして、クッション材の厚さや枚数の変更に伴い、側面カバーを幅の異なるものに取り換え、カバー全体のサイズを変更後のクッション材に適合させることができる。したがって、容易且つ柔軟に、寝具用クッションの厚さや柔らかさ等を調整することができる。
【００１４】
また、ベッドや畳や床の上等、様々な場所で寝具用クッションを使用することが想定されるが、使用場所によって寝具用クッションの厚さや柔らかさ等を調整することができ、より快適に寝具用クッションを使用することができる。
【００１５】
さらに、複数のクッション材を重ねた状態で寝具用クッションを使用している場合には、側面カバー，上面カバー，下面カバーを別途有していれば、これらのクッション材を複数に分けることにより、１つの寝具用クッションから複数の寝具用クッションを構成することができる。
【００１６】
このため、例えば、子供が生まれた際や、急な来客があった際等に新たに寝具用クッションを設けることができ、敷布団やマットレスを別途購入する必要が無く、非常に経済的である。
【００１７】
また、これとは反対に、複数の寝具用クッションを有していれば、これらで用いられていたクッション材を取り出して重ねると共に、適切な幅の側面カバーを取得し、厚さや柔らかさ等が増した１つの寝具用クッションを新たに設けることもできる。
【００１８】
このため、不要となった寝具用クッションを有効に活用することができ、資源の無駄遣いを防止できると共に、寝具用クッションを破棄する負担が無くなる。
また、寝具用クッションでは、複数のクッション材が重なった状態で上面カバーと下面
カバーと側面カバーにより覆われているため、クッション材がずれることが無く、快適に使用することができる。また、上面カバーが汚れた場合等には、上面カバーのみを交換して寝具用クッションを使用することができる。
【００１９】
また、請求項３に記載されているように、寝具用クッションは、複数のクッション材と、複数の側面カバーと、を備え、予め定められたクッション材の厚さを、基準値とし、クッション材として厚さの異なる複数の種類が設けられていると共に、これらの種類に係る厚さとして、少なくとも基準値と、該基準値を整数倍した１又は複数の値が用いられており、側面カバーとして幅の異なる複数の種類が設けられていると共に、各種類の側面カバーは、互いに異なる種類のクッション材の厚さに対応する幅を有していても良い。
【００２０】
このような構成によれば、例えば、基準値の整数倍の厚さと、基準値の厚さのクッション材等を複数重ねた際の全体の厚さに対応する側面カバーを設けることができる。このような側面カバーを用いる場合には、適合するクッション材の組み合わせのバリエーションが多くなり、側面カバーとクッション材の組み合わせを選択する際の自由度が増す。
【００２１】
したがって、例えば、１つの寝具用クッションから複数の寝具用クッションを構成する場合や、複数の寝具用クッションに用いられているクッション材を統合して１つのクッション材を構成する場合等であっても、寝具用クッションの厚さや柔らかさ等を柔軟に調整することができる。
【００２２】
また、請求項４に記載されているように、側面カバー、上面カバー、及び、下面カバーに設けられたファスナーは、線ファスナーとして構成されており、寝具用クッションは、側面カバーと上面カバーとを結合する線ファスナーのスライダーである上面側スライダーと、側面カバーと下面カバーとを結合する線ファスナーのスライダーである下面側スライダーとを結ぶ紐状の接続部をさらに有していても良い。
【００２３】
このような構成によれば、接続部を引っ張ることで、上面側スライダーと下面側スライダーを同時に動かすことができ、上面カバーと下面カバーを同時に着脱することが可能となる。
【００２４】
また、請求項５に記載されているように、接続部は、一端が上面側スライダーに接続された紐状の上面側接続部と、一端が下面側スライダーに接続された紐状の下面側接続部と、から構成され、上面側接続部の他端と下面側接続部の他端とは、着脱可能に構成されていても良い。
【００２５】
このような構成によれば、接続部を上面側接続部と下面側接続部とに分解すれば、上面側スライダーと下面側スライダーを別々に動かすことが可能となる。このため、上面カバーと下面カバーを同時に着脱することを可能としつつも、状況に応じて上面カバーや下面カバーを単独で着脱することが可能となり、使い勝手を向上させることができる。
【００２６】
また、請求項６に記載されているように、接続部は、上面側スライダーと下面側スライダーとのうちの少なくとも一方と着脱可能に構成されていても良い。
このような構成によれば、接続部を上面側スライダー或いは下面側スライダーから切り離し、上面側スライダーと下面側スライダーを別々に動かすことが可能となる。このため、上面カバーと下面カバーを同時に着脱することを可能としつつも、状況に応じて上面カバーや下面カバーを単独で着脱することが可能となり、使い勝手を向上させることができる。
【００２７】
また、請求項７に記載されているように、クッション材のうちの少なくとも１つは、少
なくとも一方の面に凹凸が形成されていても良い。
このような構成によれば、凹凸が形成されたクッションを１番上に配し、凹凸が形成された面を上面側にすることで、ユーザの体にかかる圧力が分散されると共に、通気性が向上して蒸れが生じ難くなり、快適性を向上させることができる。
【００２８】
さらに、１番上に配されたクッション材の上面側を、凹凸が形成された面とするか、他方の面とするかを選択可能であるため、寝具用クッションの固さ等を調整可能であり、寝心地を変えることができる。
【００２９】
また、請求項１から請求項７のうちのいずれか１項に記載の寝具用クッションに用いられるクッション材を単独で構成し、市場に流通させても良い（請求項８）。
また、請求項２、又は、請求項２を引用する請求項２から請求項７のうちのいずれか１項に記載の寝具用クッションに用いられる側面カバーを単独で構成し、市場に流通させても良い（請求項９）。
【００３０】
また、請求項１から請求項７のうちのいずれか１項に記載の寝具用クッションに用いられる上面カバーを単独で構成し、市場に流通させても良い（請求項１０）。
また、請求項１から請求項７のうちのいずれか１項に記載の寝具用クッションに用いられる下面カバーを単独で構成し、市場に流通させても良い（請求項１１）。
【００３１】
これにより、ユーザは、必要に応じて、上面カバー及び下面カバーや、様々な厚さを有するクッション材や、様々な幅を有する側面カバーを取得することができる。このため、寝具用クッションの厚さや柔らかさ等をより柔軟に調整することや、より容易に新たに寝具用クッションを設けることが可能となる。
【図面の簡単な説明】
【００３２】
【図１】第１実施形態の寝具用クッションの斜視図である。
【図２】第１実施形態の寝具用クッションの分解斜視図である。
【図３】第１実施形態の寝具用クッションにおけるクッション材の斜視図である。
【図４】第１実施形態の寝具用クッションの側面カバーの斜視図と、第２実施形態の寝具用クッションの側面図である。
【発明を実施するための形態】
【００３３】
以下、本発明の実施形態について図面を用いて説明する。なお、本発明の実施の形態は、下記の実施形態に何ら限定されることはなく、本発明の技術的範囲に属する限り種々の形態を採りうる。
【００３４】
［第１実施形態］
第１実施形態の寝具用クッション１は、マットレスとして構成されており、板状に形成された１又は複数のクッション材３と、１つのクッション材３、又は、重なった状態で配された複数のクッション材３を覆うカバー２等から構成されている（図１，２参照）。
【００３５】
カバー２は、１つのクッション材３の上面，下面，側面全体を完全に覆う構成となっていると共に、重なった状態で配された複数のクッション材３における１番上に位置するクッション材３の上面と１番下に位置するクッション材３の下面とこれらのクッション材３の側面全体を完全に覆う構成となっている。
【００３６】
カバー２は、クッション材３の上面を覆う上面カバー１０と、クッション材３の側面を覆う帯状の側面カバー２０と、クッション材３の下面を覆う下面カバー３０とから構成されている（図２参照）。なお、図２では、一例として、厚さが同一である２つのクッショ
ン材３が重なった状態で配される。
【００３７】
また、上面カバー１０は、外縁に沿って線ファスナー１１が設けられていると共に、下面カバー３０は、外縁に沿って線ファスナー３１が設けられている。また、側面カバー２０は、両側に位置する各縁部に沿って線ファスナー１１，３１が設けられている。これらの線ファスナー１１，３１は、オープンファスナーとして構成されている。また、これらの線ファスナー１１，３１は、エレメントの数の調整が可能なビスロンファスナー（登録商標）や金属ファスナー等として構成されていても良い。
【００３８】
そして、上面カバー１０は、線ファスナー１１により側面カバー２０に着脱可能に構成されていると共に、下面カバー３０は、線ファスナー３１により側面カバー２０に着脱可能に構成されている。
【００３９】
ここで、上面カバー１０と側面カバー２０とを結合させる線ファスナー１１のスライダーを、上面側スライダー１２とすると共に、下面カバー３０と側面カバー２０とを結合させる線ファスナー３１のスライダーを、下面側スライダー３２とする。
【００４０】
カバー２は、上面側スライダー１２と下面側スライダー３２とを結ぶ紐状の接続部４０を有している。
なお、接続部４０の端部の少なくとも一方（さらに望ましくは両端）は、例えばフック状の係合具等により、各スライダーと着脱可能に構成されているのが好適である。
【００４１】
また、上面側スライダー１２や下面側スライダー３２は、それぞれ、側面カバー２０側の線ファスナー１１，３１に取り付けられていても良いし、上面カバー１０側，下面カバー３０側の線ファスナー１１，３１に取り付けられていても良い。
【００４２】
また、カバー２は、接続部４０を有さない構成としても良い。
一方、クッション材３は、表面に凹凸が設けられていると共に、裏面は平面となっている。第１実施形態では、一例として、短手方向に延びる複数のリブを等間隔で形成することで、表面に凹凸が設けられている。
【００４３】
しかしながら、これに限らず、例えば、長手方向に延びる複数のリブを等間隔で形成しても良いし、短手方向又は長手方向に延びる複数の溝を等間隔で形成しても良いし、複数の突起を短手方向及び長手方向に並べることで凹凸を構成しても良い。
【００４４】
また、寝具用クッション１に用いることができるクッション材３として、厚さ（裏面から表面の凹凸の頂部までの長さ）の異なる複数の種類のクッション材３が設けられており、第１実施形態では、一例として、クッション材３ａ〜３ｄが設けられている（図３参照）。
【００４５】
ここで、クッション材３の厚さの基準値として、一例として５ｃｍが設定されており、クッション材３ａの厚さは基準値であると共に、他の種類のクッション材３の厚さは、基準値に対し連続する整数（２〜４）の各々を乗算して得た値となっている。
【００４６】
このため、クッション材３ａ〜３ｄの厚さは、５ｃｍ，１０ｃｍ，１５ｃｍ，２０ｃｍとなっている。
無論、基準値の５倍以上の厚さのクッション材３を設けても良い。
【００４７】
また、例えば、５ｃｍ，１０ｃｍ，２０ｃｍ，２５ｃｍといった具合に、各種類のクッション材３の厚さを、基準値、及び、基準値に対し、連続しない整数（２，４，５）の各
々を乗算して得た値としても良い。
【００４８】
また、基準値の整数倍の厚さのクッション材３に加え、基準値の整数倍の厚さ以外の厚さ（例えば、７ｃｍ，１３ｃｍ等）を有する側面カバー２０を設けても良い。
そして、これらのクッション材３ａ〜３ｄのうちの１つ又は複数を用いて、寝具用クッション１が構成される。このとき、同じ厚さのクッション材３を複数用いても良いし、厚さの異なるクッション材３を複数用いても良い。
【００４９】
なお、クッション材３を用いる際、クッション材３（特に、一番上に位置するクッション材３）は、凹凸が形成された表面を上に配しても良いし、平面となっている裏面を上に配しても良い。
【００５０】
また、第１実施形態では、幅の異なる複数の側面カバー２０が設けられている（図４（ａ）参照）。
側面カバー２０ａ〜２０ｄの幅は、それぞれ、クッション材３ａ〜３ｄのいずれかの厚さ、又は、これらのクッション材３を重ねた際のクッション材３全体の厚さに対応している。
【００５１】
具体的には、側面カバー２０ａ〜２０ｄの幅は、一例として、各種類のクッション材３の厚さと同一の値（５ｃｍ，１０ｃｍ，１５ｃｍ，２０ｃｍ）となっている。無論、側面カバー２０の幅はこれに限らず、例えば、クッション材３の厚さに所定のマージンを持たせた幅を有していても良い。
【００５２】
また、複数のクッション材３が用いられる場合、全体の厚さがクッション材３の最大厚さ（２０ｃｍ）を超える場合がある。このため、該最大厚さを超える値であって、重ねられたクッション材３の全体の厚さとなり得る値（例えば、２５ｃｍ，３０ｃｍ等）に対応する幅の側面カバー２０をさらに設けても良い。
【００５３】
そして、１つのクッション材３の厚さ、又は、複数のクッション材３の全体の厚さに対応する幅の側面カバー２０が選択され、該側面カバー２０と、上面カバー１０と、下面カバー３０とによりカバー２が構成される。
【００５４】
無論、クッション材３の厚さや側面カバー２０の幅は、上述したものに限定されることは無い。
そして、１又は複数のクッション材３と、１又は複数の側面カバー２０と、１つの上面カバー１０及び下面カバー３０とにより寝具用クッション１を構成することが考えられる。
【００５５】
また、複数のクッション材３と、複数の側面カバー２０と、１又は複数の上面カバー１０及び下面カバー３０とにより、寝具用クッション１（換言すれば、寝具用クッションのセット）を設けることも考えられる。これにより、寝具用クッションのセットの中から、適宜、クッション材３，側面カバー２０，上面カバー１０，下面カバー３０を選び出し、１又は複数の寝具用クッション１を構成することができる。
【００５６】
このような寝具用クッションのセットにおいては、上述した全種類のクッション材３ａ〜３ｄと側面カバー２０ａ〜２０ｄが設けられているのが好適である。
無論、少なくとも２種類のクッション材３と、各種類のクッション材３の厚さに対応する側面カバー２０を設ける構成としても良い。
【００５７】
また、このような寝具用クッションのセットには、基準値の整数倍の厚さ以外の厚さ（
例えば、７ｃｍ，１３ｃｍ等）を有するクッション材３と、これらに対応する幅の側面カバー２０がさらに含まれていても良い。
【００５８】
さらには、このような寝具用クッションのセットは、各種類のクッション材３を複数有すると共に、各種類の側面カバー２０を複数有するのが好適である。
これにより、側面カバーやクッション材を選択する際の自由度が増し、寝具用クッション１の厚さを自由に選択することが可能となる。
【００５９】
また、このような寝具用クッションのセットにおいて、クッション材３の最大厚さ（２０ｃｍ）を超える値であって、重ねられたクッション材３の全体の厚さとなり得る値（例えば、２５ｃｍ，３０ｃｍ）に対応する幅の側面カバー２０をさらに設けることも考えられる。
【００６０】
また、各厚さのクッション材３や、各幅の側面カバー２０や、上面カバー１０や、下面カバー３０を、単独でユーザに提供することも考えられる。
また、各季節に応じた複数種類の上面カバー１０を設け、季節毎に上面カバー１０を交換して使用しても良い。また、夏用の上面カバー１０は、当該上面カバー１０に接触したユーザに冷感を与える接触冷感生地により構成されていても良い。また、防水性を有するシート等として構成された上面カバー１０を設け、寝具用クッション１を老人介護や医療用に用いても良い。
【００６１】
［第２実施形態］
第２実施形態の寝具用クッション１は、第１実施形態とほぼ同様の構成を有しているが、接続部４０等の構成が異なっている（図４（ｂ）参照）。
【００６２】
すなわち、第２実施形態では、上面側スライダー１２と下面側スライダー３２とを結ぶ接続部４０は、その中央で切り離すことが可能となっている。
接続部４０は、一端が上面側スライダー１２に接続される上面側接続部４１と、一端が下面側スライダー３２に接続される下面側接続部４２とから構成される。また、上面側接続部４１の他端と下面側接続部４２の他端とには、それぞれ、係合部材４３が設けられており、係合部材４３により、上面側接続部４１の他端と下面側接続部４２の他端とが着脱可能に構成されている。
【００６３】
なお、上面側スライダー１２や下面側スライダー３２は、それぞれ、側面カバー２０側の線ファスナー１１，３１に取り付けられていても良いし、上面カバー１０側，下面カバー３０側の線ファスナー１１，３１に取り付けられていても良い。
【００６４】
また、上面側接続部４１の一端と下面側接続部４２の一端の双方又は一方は、例えばフック状の係合具等により、各スライダーと着脱可能に構成されていても良い。
［効果］
第１，第２実施形態の寝具用クッション１によれば、上面カバー１０と下面カバー３０と側面カバー２０はファスナーにより着脱可能であるため、容易にクッション材３を厚さの異なるものに変更したり、重なった状態で配されたクッション材３の枚数を変更することができる。
【００６５】
そして、クッション材３の厚さや枚数の変更に伴い、側面カバー２０を幅の異なるものに取り換え、カバー２のサイズを変更後のクッション材３に適合させることができる。したがって、使い勝手を悪化させること無く、寝具用クッション１の厚さや柔らかさ等を柔軟に調整することができる。
【００６６】
さらに、複数のクッション材３を重ねた状態で寝具用クッション１を使用している場合には、側面カバー２０，上面カバー１０，下面カバー３０を別途有していれば、これらのクッション材３を複数に分けることにより、複数の寝具用クッション１を設けることができる。このため、敷布団やマットレスを別途購入する必要が無くなり、非常に経済的である。
【００６７】
また、これとは反対に、複数の寝具用クッション１を有していれば、これらで用いられていたクッション材３を取り出して重ねると共に、適切な幅の側面カバー２０を取得し、厚さや柔らかさ等が増した１つの寝具用クッション１を新たに設けることもできる。
【００６８】
このため、不要となった寝具用クッション１を有効に活用することができ、資源の無駄遣いを防止できると共に、寝具用クッション１を破棄する負担が無くなる。
また、寝具用クッション１では、複数のクッション材３が重なった状態でカバー２により覆われているため、クッション材３がずれることが無く、快適に使用することができる。また、上面カバー１０が汚れた場合等には、上面カバー１０のみを交換して寝具用クッション１を使用することができる。
【００６９】
［他の実施形態］
（１）第１，第２実施形態の寝具用クッション１は、側面カバー２０は１本の帯状に構成されているが、リング状に構成されていても良い。このような場合であっても、同様の効果を得ることができる。
【００７０】
（２）また、第１，第２実施形態の寝具用クッション１では、全てのクッション材３の表面に凹凸が形成されている。
しかしながら、これに限らず、両面が平らなクッション材を用いても良い。このような場合であっても、使い勝手を悪化させること無く、寝具用クッション１の厚さや柔らかさ等を柔軟に調整することができる。
【００７１】
また、寝具用クッション１に用いられるクッション材のうちの少なくとも１つとして、表面に凹凸が形成されたクッション材３を用いても良い。このような場合であっても、凹凸が形成されたクッション材３を一番上に配し、凹凸が形成された面を上面側にすることにより、同様の効果を得ることができる。
【００７２】
（３）また、第１，第２実施形態の寝具用クッション１では、上面カバー１０と側面カバー２０、下面カバー３０と側面カバー２０とは、それぞれ、線ファスナー１１，３１により結合される構成となっている。
【００７３】
しかしながら、線ファスナー１１，３１に替えて、例えば、点ファスナー，面ファスナー，ボタン等といった、上面カバー１０と側面カバー２０、下面カバー３０と側面カバー２０を着脱可能に取り付ける他の結合手段を用いても良い。なお、このような結合手段を用いる場合には、接続部４０は不要となる場合もある。
【００７４】
このような場合であっても、同様の効果を得ることができる。
（４）また、第１，第２実施形態の寝具用クッション１において、さらに、上面側スライダー１２により上面カバー１０の線ファスナー１１と下面カバー３０の線ファスナー３１を開閉可能に構成しても良い。なお、この場合には、上面側スライダー１２は、上面カバー１０側の線ファスナー１１に取り付けられ、下面側スライダー３２は、側面カバー２０側の線ファスナー３１に取り付けられる。
【００７５】
無論、これとは反対に、下面側スライダー３２により上面カバー１０の線ファスナー１
１と下面カバー３０の線ファスナー３１を開閉可能に構成しても良い。なお、この場合には、下面側スライダー３２は、下面カバー３０側の線ファスナー３１には取り付けられ、上面側スライダー１２は、側面カバー２０側の線ファスナー１１に取り付けられる。
【００７６】
こうすることにより、第１，第２実施形態と同様、上面カバー１０，側面カバー２０，下面カバー３０により、１つ又は複数のクッション材３の全体を完全に覆うようにしつつ、上面カバー１０と下面カバー３０により、これらのクッション材３の全体を完全に覆うことができる。このような場合であっても、第１，第２実施形態と同様の効果を得ることができる。また、側面カバー２０が無くても寝具用クッション１を構成することができ、利便性を高めることができる。
【００７７】
（５）また、第１，第２実施形態の寝具用クッション１は、マットレスとして構成されているが、例えば、敷布団やベッドのマット等を寝具用クッション１と同様に構成しても良い。このような場合であっても、同様の効果を得ることができる。
【符号の説明】
【００７８】
１…寝具用クッション、２…カバー、３…クッション材、１０…上面カバー、１１…線ファスナー、１２…上面側スライダー、２０…側面カバー、３０…下面カバー、３１…線ファスナー、３２…下面側スライダー、４０…接続部、４１…上面側接続部、４２…下面側接続部、４３…係合部材。
【図１】
2015157069.tif 000003
【図２】
2015157069.tif 000004
【図３】
2015157069.tif 000005
【図４】
2015157069.tif 000006